(57)【要約】【課題】複雑な形状の配管用の筒状カバーを必要とすることなく、その筒状カバーの端部に配管用の接続カバーをガタツキのない状態で確実に外嵌接続させることのできる配管用カバーの抜け止め構造。【解決手段】配管用の筒状カバー１と筒状カバー１の端部に外嵌接続される配管用の接続カバー２との相対的な抜けを防止するための配管用カバーの抜け止め構造で、筒状カバー１の外周面から突出する抜け止め部８ｂが、接続カバー２の内周面に突設のストッパ１４に当接して、筒状カバー１と接続カバー２の相対的な抜けを防止するように構成され、筒状カバー１と接続カバー２との間のガタツキを防止するガタツキ防止部１５が、筒状カバー１の外周面と接続カバー２の内周面との間において、抜け止め部８ｂの存在箇所以外の部位に介在されている。【選択図】図５
2011112080.tif 000002
【特許請求の範囲】
【請求項１】
配管用の筒状カバーとその筒状カバーの端部に外嵌接続される配管用の接続カバーとの相対的な抜けを防止するための配管用カバーの抜け止め構造であって、
前記筒状カバーの外周面から突出する抜け止め部が、前記接続カバーの内周面に突設のストッパに当接して、前記筒状カバーと接続カバーの相対的な抜けを防止するように構成され、
前記筒状カバーと接続カバーとの間のガタツキを防止するガタツキ防止部が、前記筒状カバーの外周面と接続カバーの内周面との間において、前記抜け止め部の存在箇所以外の部位に介在されている配管用カバーの抜け止め構造。
【請求項２】
前記ガタツキ防止部が、前記筒状カバーの外周面と接続カバーの内周面に沿って周方向に複数個介在されている請求項１に記載の配管用カバーの抜け止め構造。
【請求項３】
前記ガタツキ防止部が、前記筒状カバーと接続カバーの接続方向に沿って長い条状に構成されて、前記接続カバーの内周面に突設されている請求項２に記載の配管用カバーの抜け止め構造。
【請求項４】
前記抜け止め部が、前記筒状カバーの端部に挟持固定可能な抜け止めクリップに設けられている請求項１〜３のいずれか１項に記載の配管用カバーの抜け止め構造。
【発明の詳細な説明】
【技術分野】
【０００１】
本発明は、配管用の筒状カバーとその筒状カバーの端部に外嵌接続される配管用の接続カバーとの相対的な抜けを防止するための配管用カバーの抜け止め構造に関する。
【背景技術】
【０００２】
このような配管用カバーの抜け止め構造としては、従来、筒状カバーの外周にその筒状カバーの長手方向に沿う複数の溝を形成して、その複数の溝内に軟質樹脂製の抜け止め用の嵌入部材を嵌入保持させ、他方、接続カバーの内周面に複数の突起を突設して、筒状カバー側の嵌入部材と接続カバー側の突起が当接することで、筒状カバーと接続カバーの相対的な抜けを防止するように構成したものが知られている（例えば、特許文献１参照）。
【先行技術文献】
【特許文献】
【０００３】
【特許文献１】実開平４−３１３９３号公報
【発明の概要】
【発明が解決しようとする課題】
【０００４】
しかし、上記公報に記載の従来技術では、抜け止め用の嵌入部材を必要とするのに加え、筒状カバーの外周に嵌入部材を嵌めるための複数の溝が必要となり、筒状カバーの形状が複雑になって、筒状カバーが高価なものになるという欠点があった。
【０００５】
本発明は、このような従来の問題点に着目したもので、その目的は、複雑な形状の配管用の筒状カバーを必要とすることなく、その筒状カバーの端部に配管用の接続カバーをガタツキのない状態で確実に外嵌接続させることのできる配管用カバーの抜け止め構造を提供することにある。
【課題を解決するための手段】
【０００６】
本発明の第１の特徴構成は、配管用の筒状カバーとその筒状カバーの端部に外嵌接続される配管用の接続カバーとの相対的な抜けを防止するための配管用カバーの抜け止め構造であって、前記筒状カバーの外周面から突出する抜け止め部が、前記接続カバーの内周面に突設のストッパに当接して、前記筒状カバーと接続カバーの相対的な抜けを防止するように構成され、前記筒状カバーと接続カバーとの間のガタツキを防止するガタツキ防止部が、前記筒状カバーの外周面と接続カバーの内周面との間において、前記抜け止め部の存在箇所以外の部位に介在されているところにある。
【０００７】
本発明の第１の特徴構成によれば、配管用の筒状カバーの外周面から突出する抜け止め部が、配管用の接続カバーの内周面に突設のストッパに当接して、筒状カバーと接続カバーの相対的な抜けを防止するように構成されているので、筒状カバーの外周面に抜け止め部を突設し、接続カバーの内周面にストッパを突設するだけの簡単な構成で、筒状カバーと接続カバーの抜けが防止される。
したがって、筒状カバーの外周に抜け防止に寄与する溝などを設ける必要がなく、筒状カバーの形状を単純化して、筒状カバーの低廉化を図ることができる。
その場合、筒状カバーの外周面に抜け止め部を突設する関係上、筒状カバーの外周面と接続カバーの内周面との間には、抜け止め部の突出長さに相当する隙間が必然的に生じて、それがガタツキの原因となるが、そのガタツキを防止するガタツキ防止部が、筒状カバーの外周面と接続カバーの内周面との間において、抜け止め部の存在箇所以外の部位に介在されているので、筒状カバーと接続カバーとの間のガタツキも確実に防止され、その結果、複雑な形状の配管用の筒状カバーを必要とすることなく、その筒状カバーの端部に配管用の接続カバーをガタツキのない状態で確実に外嵌接続させることが可能となる。
【０００８】
本発明の第２の特徴構成は、前記ガタツキ防止部が、前記筒状カバーの外周面と接続カバーの内周面に沿って周方向に複数個介在されているところにある。
【０００９】
本発明の第２の特徴構成によれば、ガタツキ防止部が、筒状カバーの外周面と接続カバーの内周面に沿って周方向に複数個介在されているので、例えば、ガタツキ防止部を抜け止め部の存在箇所以外の部位全長にわたって介在させる場合に比べて、ガタツキ防止部を少量の材料で安価に作製することができ、ガタツキ防止部を３個以上介在させる場合には、筒状カバーと接続カバーとの間のガタツキを一層確実に防止することができる。
【００１０】
本発明の第３の特徴構成は、前記ガタツキ防止部が、前記筒状カバーと接続カバーの接続方向に沿って長い条状に構成されて、前記接続カバーの内周面に突設されているところにある。
【００１１】
本発明の第３の特徴構成によれば、ガタツキ防止部が、筒状カバーと接続カバーの接続方向に沿って長い条状に構成されているので、例えば、筒状カバーと接続カバーの接続方向に沿って短い突起物で構成する場合に比べて、ガタツキ防止部に対する筒状カバー外周面の接触面積を大きくすることができ、筒状カバーと接続カバーとの間のガタツキをより一層確実に防止することができる。また、接続カバー内への筒状カバーの挿入長さの変化にもガタツキ防止部の接続方向での長さ分だけ対応することが可能になって、筒状カバーと接続カバーとの間のガタツキを更に確実に防止することができる。
そして、そのガタツキ防止部が、接続カバーの内周面に突設されているので、接続カバーと別体に構成されている場合と比較して、ガタツキ防止部を紛失するおそれも少なく、取り扱いや施工も容易となる。
【００１２】
本発明の第４の特徴構成は、前記抜け止め部が、前記筒状カバーの端部に挟持固定可能な抜け止めクリップに設けられているところにある。
【００１３】
本発明の第４の特徴構成によれば、抜け止め部が、筒状カバーの端部に挟持固定可能な抜け止めクリップに設けられているので、抜け止めクリップを必要とするものの、筒状カバーの形状をより一層単純化して、筒状カバーの低廉化を図ることができる。
【図面の簡単な説明】
【００１４】
【図１】配管用カバーを適用した空調装置の全体図
【図２】配管用カバーの要部の縦断側面図
【図３】抜け止めクリップの斜視図、正面図、背面図、および、縦断側面図
【図４】配管用カバーの要部の分解斜視図
【図５】抜け止めクリップの作用を説明するための配管用カバーの要部の縦断側面図
【図６】配管用カバーの要部の横断上面図
【図７】配管用カバーの要部の横断拡大図
【発明を実施するための形態】
【００１５】
本発明による配管用カバーの抜け止め構造につき、その実施の形態を図面に基づいて説明する。
本発明が対象とする配管用カバーは、例えば、図１に示すように、空調装置の室内機Ａと室外機Ｂを接続する各種の空調用の管や電線などの配管類Ｃをカバーするのに使用されるもので、その配管類Ｃは、室内機Ａから延出して建物の天井に沿って配設され、建物の壁Ｗを貫通した後、壁Ｗの外面に沿って上下方向に配設されて室外機Ｂに接続される。
配管類Ｃをカバーする配管用のカバーとしては、通常、合成樹脂製の直線状の筒状カバー１が使用され、その筒状カバー１が、合成樹脂製の配管用の接続カバー２としてのエルボカバー２ａや連結カバー２ｂを介して互いに接続され、筒状カバー１の端部には、同じく合成樹脂製の配管用の接続カバー２の一例である縮径用の端末カバー２ｃが接続され、その端末カバー２ｃから配管類Ｃが延出されている。
【００１６】
筒状カバー１は、図２および図４に示すように、互いに嵌合接続可能な一対の半割りカバー体３，４により構成され、室内に配設の筒状カバー１は、吊り金具５を介して天井に吊下げ保持され、室外に配設の筒状カバー１については、一方の半割りカバー体３が固定金具６を介して壁Ｗに固定保持され、その一方の半割りカバー体３に対して他方の半割りカバー体４が嵌合接続されるとともに、必要に応じて、両半割りカバー３，４どうしが図外の適宜手段により互いに強固に接続される。
配管用の接続カバー２としてのエルボカバー２ａ、連結カバー２ｂ、および、端末カバー２ｃは、その筒状カバー１の端部に相対的な抜けを防止した状態で、かつ、ガタツキのない状態で外嵌接続され、その際に適用されるのが、本発明による抜け止め構造である。
【００１７】
以下、筒状カバー１と接続カバー２の抜け止め構造について説明するが、接続カバー２はその形状が異なるだけで、接続のための構成は全て同じであるため、エルボカバー２ａを例にして説明する。
この抜け止め構造には、筒状カバー１の端部に挟持固定可能な抜け止めクリップ７が使用され、その抜け止めクリップ７は、例えば、ばね鋼の打ち抜きにより形成されていて、図３に示すように、筒状カバー１の端部を外側と内側から弾性的に挟持する外側舌片８と内側舌片９、および、両舌片８，９の基端部を互いに連結する連結部１０を備え、側面視においてほぼコの字状に形成されている。
両舌片８，９は、その差し込み方向（縦方向）のほぼ中央部が互いに近接するように、連結部１０から遊端部側に向けて斜めに折曲され、両遊端部８ｂ，９ｂが互いに離間するように、ハの字状に開口されていて、外側舌片８の遊端部８ａが、後に詳しく説明する抜け止め部として機能するように構成されている。
【００１８】
抜け止めクリップ７の外側舌片８は、その横幅方向に沿って複数本（図３の実施形態では２本）の外側爪部８ａを一体的に備え、その外側爪部８ａが、筒状カバー１の外周面に食い込むべく連結部１０に向けて内側へ斜めに突出するように設けられている。
内側舌片９も、その横幅方向に沿って複数本（図３の実施形態では３本）の内側爪部９ａを一体的に備え、その内側爪部９ａが、筒状カバー１の内周面に食い込むべく連結部１０に向けて外側へ斜めに突出するように設けられている。
２本の外側爪部８ａと３本の内側爪部９ａは、その横幅方向に沿って互いに位相をずらせて、より具体的には、横幅方向に沿って互い違いになるように配設され、かつ、図３の（ｄ）から明らかなように、側面視において、外側爪部８ａと内側爪部９ａが互いに交差するように配設されている。
【００１９】
配管用の接続カバー２の一例であるエルボカバー２ａは、図２および図４に示すように、互いに嵌合接続可能な左右一対の半割りカバー体１１，１２により構成され、両半割りカバー体１１，１２が、ボルトなどの連結金具１３により互いに固定可能に構成されるとともに、筒状カバー１を接続する開口端部の内周面には、その全長にわたってストッパとして機能するフランジ１４が一体的に突設されている。
各半割りカバー体１１，１２の内周面には、筒状カバー１と接続カバー２の接続方向に沿って長い条状のガタツキ防止部１５が、周方向に沿って複数個（図２および図４の実施形態では２個ずつ）一体的に突設され、そのガタツキ防止部１５の奥側端部近くには、筒状カバー１の挿入長さを規制するストッパ部１６が、ガタツキ防止部１５とほぼ直交する状態で周方向に沿って一体的に突設されている。
【００２０】
より詳細に説明すると、ガタツキ防止部１５は、図６に示すように、各半割りカバー体１１，１２に２個ずつ、半割りカバー体１１，１２の中央部に中心からほぼ９０度の角度を隔てて配置され、両半割りカバー体１１，１２を接続した状態で、隣接するガタツキ防止部１５どうしが中心からほぼ９０度の角度位置に位置するように設けられている。
そのガタツキ防止部１５は、図７に示すように、断面形状がほぼ台形に形成され、その上面１５ａが半割りカバー体１１，１２の接線Ｌ（図６参照）とほぼ平行になるように、一側面１５ｂが半割りカバー体１１，１２の接線Ｌとほぼ直交するように構成され、他側面１５ｃは、半割りカバー体１１，１２の半割り開口面に対して直交または鋭角になるように傾斜した傾斜面に構成されている。そのため、各半割りカバー体１１，１２を射出成形により作製する場合には、その他側面１５ｃが金型を抜くときのじゃまにならず、射出成形による作製が容易となる。
そして、各ガタツキ防止部１５は、フランジ１４と同じ高さに設定されて、フランジ１４に連続する状態に構成され、各ガタツキ防止部１５の奥側（図５中の上側）の端面が、ストッパ部１６の手前側面（図５中の下面）とほぼ面一になるように構成されている。
【００２１】
つぎに、抜け止めクリップ７を使用して、筒状カバー１と接続カバー２を接続する施工手順およびその抜け止め構造について、筒状カバー１とエルボカバー２ａの接続を例にして説明する。
まず、配管類Ｃを挿入した状態で室内に配設の筒状カバー１を吊り金具５により天井に吊下げ保持させ、室外に配設の筒状カバー１については、一方の半割りカバー体３を固定金具６により壁Ｗに固定保持させ、配管類Ｃを挿入した状態で他方の半割りカバー体４を一方の半割りカバー体３に嵌合接続し、必要に応じて、両半割りカバー体３，４どうしを適宜手段により強固に接続する。
この他方の半割りカバー体４の嵌合接続の前または後に、一方の半割りカバー体３の上端部にクリップ７をひとつ取り付ける。すなわち、図４および図５に示すように、ガタツキ防止部１５の存在箇所以外の部位において、外側舌片８が半割りカバー体３の外側に位置し、内側舌片９が半割りカバー体３の内側に位置するようにクリップ７を取り付けるのであり、このクリップ７の取り付けは、ハの字状に開口している両舌片８，９の遊端部８ｂ，９ｂによる案内作用で容易に行うことができる。
【００２２】
その後、図２および図４に示すように、エルボカバー２ａを構成する左右一対の半割りカバー体１１，１２を室内に配設の筒状カバー１と室外に配設の筒状カバー１とにわたって、それぞれの端部に外嵌接続して、両半割りカバー体１１，１２を連結金具１３により連結固定する。
この連結固定状態では、施工精度上の困難性から、通常、図５の（ａ）に示すように、室外の筒状カバー１の上端部はストッパ部１６にまで至っておらず、また、抜け止め部として機能する外側舌片８の遊端部８ｂとストッパとして機能するエルボカバー２ａのフランジ１４とは当接せず、遊端部８ｂとフランジ１４との間には隙間がある。
ただし、エルボカバー２ａの内周面に突設された複数個のガタツキ防止部１５が、筒状カバー１の外周面とエルボカバー２ａの内周面との間において周方向に介在するため、筒状カバー１とエルボカバー２ａとの間でのガタツキは確実に防止され、また、クリップ７が抜け落ちようとしても、外側爪部８ａと内側爪部９ａが半割りカバー体３の外周面と内周面に食い込み勝手となるため、クリップ７の抜け落ちは確実に防止される。
【００２３】
この連結固定状態において、例えば、地震や強風などによる何らかの外力に起因して筒状カバー１とエルボカバー２ａが相対的に移動し、筒状カバー１がエルボカバー２ａ内に必要以上に入り込もうとすると、筒状カバー１の上端部がストッパ部１６に当接して、それ以上の入り込みが防止される。
逆に、筒状カバー１とエルボカバー２ａが抜け側へ相対移動すると、図５の（ｂ）に示すように、外側舌片８の遊端部８ｂとエルボカバー２ａのフランジ１４が当接して、筒状カバー１とエルボカバー２ａとの相対的な抜けが防止される。
しかも、その際、筒状カバー１とエルボカバー２ａの相対的な抜け側への移動に伴って、図５の（ｂ）に矢印で示すように、フランジ１４から外側舌片８の遊端部８ｂに押圧力が加わり、その押圧力によって外側舌片８の外側爪部８ａと内側舌片９の内側爪部９ａのいずれか一方または両方が筒状カバー１の外周面と内周面のいずれか一方または両方に食い込むため、筒状カバー１とエルボカバー２ａとの相対的な抜けは、より一層確実に防止され、筒状カバー１とエルボカバー２ａとの間のガタツキも、図６に示すように、ガタツキ防止部１５が、筒状カバー１の外周面とエルボカバー２ａの内周面との間において、クリップ７の存在箇所以外の部位に介在されて確実に防止されるのである。
【００２４】
〔別実施形態〕
（１）先の実施形態では、抜け止めクリップ７における外側舌片８の遊端部８ｂが、ストッパとしてのフランジ１４に当接する抜け止め部として機能するように構成した例を示したが、例えば、筒状カバー１の外周面に抜け止め部として機能する突起などを一体的に突設して実施することも、また、筒状カバー１と別体に形成した突起などを筒状カバー１の外周面に適宜手段により固着して実施することもできる。
また、その抜け止め部８ｂは、筒状カバー１の径などに応じて、筒状カバー１の外周面にひとつだけ突設することも、筒状カバー１の外周面に複数突設することもできる。
【００２５】
（２）先の実施形態では、接続カバー２の内周面に筒状カバー１との接続方向に沿って長い条状のガタツキ防止部１５を突設した例を示したが、ガタツキ防止部１５は、必ずしも筒状カバー１との接続方向に沿って長い条状である必要はなく、筒状カバー１との接続方向に短い突起物で構成することもできる。
そのガタツキ防止部１５の個数についても、先の実施形態で示した４個に限らずに任意に設定することができ、極端な場合、抜け止め部８ｂの存在箇所以外の部位全長にわたってガタツキ防止部１５を設けることもできる。
また、そのガタツキ防止部１５は、接続カバー２の内周面に一体的に突設する以外にも、接続カバー２と別体に形成して、接続カバー２の内周面に適宜手段により固着して実施することも、接続カバー２に固着することなく、接続カバー２の内周面と筒状カバー１の外周面との間に挟んで実施することもできる。
さらに、配管用の接続カバー２の具体例として、エルボカバー２ａ、連結カバー２ｂ、および、縮径用の端末カバー２ｃを示したが、それ以外にも、例えば、異径用の連結カバーやＴ型の連結カバーなど、各種の接続カバーに適用可能である。
【符号の説明】
【００２６】
１        配管用の筒状カバー
２        配管用の接続カバー
７        抜け止めクリップ
８ｂ      抜け止め部
１４      ストッパ
１５      ガタツキ防止部
【図１】
2011112080.tif 000003
【図２】
2011112080.tif 000004
【図３】
2011112080.tif 000005
【図４】
2011112080.tif 000006
【図５】
2011112080.tif 000007
【図６】
2011112080.tif 000008
【図７】
2011112080.tif 000009